(57)【要約】【課題】混合水栓に対する配管を化粧板で隠蔽した場合、化粧板が混合水栓の直下部において浴室の壁面から前方に張出し配置されることを抑制することができる配管構造及び浴室壁面ユニットを提供する。【解決手段】浴室壁面１１に設けられた混合水栓１４に対して接続される配管１６Ａ，１６Ｂを備えた配管構造において、配管１６Ａ，１６Ｂを混合水栓１４の下部から立ち上げるとともに、混合水栓１４の直下を外側に迂回させて、混合水栓１４に対して側方から接続する。浴室壁面ユニットは、この配管構造と、配管１６Ａ，１６Ｂを隠蔽した状態で浴室壁面１１の一部を構成する化粧板１７とを備える。【選択図】図１
2015054201.tif 000002
【特許請求の範囲】
【請求項１】
浴室の壁面に設けられた水栓に対して接続される配管を備えた配管構造において、
前記配管を水栓の下部から立ち上げるとともに、水栓の直下を外側に迂回させて、水栓に対して側方から接続した配管構造。
【請求項２】
前記水栓は混合水栓であり、前記配管は冷水用及び温水用の２本であって、水栓の両側に接続された請求項１に記載の配管構造。
【請求項３】
請求項１または２に記載の配管構造と、前記配管を隠蔽した状態で浴室の壁面の一部を構成する化粧板とを備えた浴室壁面ユニット。
【請求項４】
前記化粧板には前記水栓と浴室床面との間に位置するカウンタを設けた請求項３に記載の浴室壁面ユニット。
【請求項５】
前記カウンタを下方に倒伏可能にした請求項４に記載の浴室壁面ユニット。
【請求項６】
前記水栓とカウンタとの間において、化粧板に凹部を形成し、前記配管を凹部の外側に迂回させた請求項４または５に記載の浴室壁面ユニット。
【請求項７】
前記カウンタの下方において、前記配管に止水栓ユニットを接続した請求項４〜６のうちのいずれか一項に記載の浴室壁面ユニット。
【発明の詳細な説明】
【技術分野】
【０００１】
この発明は、浴室の壁面に設けられた水栓に対して接続される配管を備えた配管構造、その配管構造を備えた浴室壁面ユニットに関するものである。
【背景技術】
【０００２】
従来、この種の配管構造としては、例えば特許文献１に開示されるような構成が提案されている。この従来構成においては、浴室の壁面に設けられた混合水栓に対する２本の配管が、混合水栓の下方に設けられて、混合水栓に対して接続されている。
【先行技術文献】
【特許文献】
【０００３】
【特許文献１】特開平１１−１３１８３５号公報（図５参照）
【発明の概要】
【発明が解決しようとする課題】
【０００４】
この従来構成においては、２本の配管が混合水栓の下方に設けられ、配管を覆うカバーが浴室の壁面から前方に突出されて配置される。そして、カバーの上端にカウンタが設けられている。このため、カウンタの面積を広く確保するためにカウンタの奥行寸法，つまり張出し寸法を大きくすると、カウンタだけではなく、カバーも浴室側へ大きく突出することになる。このような場合、浴室中の洗い場の空間が狭くなり、洗い場の開放感が損なわれるだけではなく、使用しにくい浴室となる。
【０００５】
この発明は、このような従来の技術に存在する問題点に着目してなされたものである。その目的は、水栓に対する配管を化粧板で隠蔽した場合、化粧板が水栓の直下部において浴室の壁面から前方に張出して配置されることを抑制することができる配管構造及び浴室壁面ユニットを提供することにある。
【課題を解決するための手段】
【０００６】
上記の目的を達成するために、この配管構造は、浴室の壁面に設けられた水栓に対して接続される配管を備えた配管構造において、前記配管を水栓の下部から立ち上げるとともに、水栓の直下を外側に迂回させて、水栓に対して側方から接続したことを特徴としている。
【０００７】
従って、この配管構造においては、水栓に対する配管を化粧板で隠蔽して浴室壁面ユニットを構成した場合、水栓の直下部には配管が存在しないため、化粧板を浴室の壁面から前方に張出すことなく、壁面に近付けて配置することができる。よって、水栓の下方において化粧板の前面に洗面桶等を置くためのカウンタを突設した場合、カウンタの奥行寸法を洗面桶等の大きさに合わせて確保しても、そのカウンタの張出し寸法を抑えることができて、浴室中の洗い場の空間を広く確保することができる。
【発明の効果】
【０００８】
前記の配管構造及び浴室壁面ユニットによれば、水栓に対する配管を化粧板で隠蔽した場合、化粧板が水栓の直下部において浴室の壁面から前方に張出して配置されることを抑制することができるという効果を発揮する。
【図面の簡単な説明】
【０００９】
【図１】第１実施形態の浴室壁面ユニットの配管構造を示す斜視図。
【図２】図１の配管構造の一部を拡大して示す要部斜視図。
【図３】図２の配管を化粧板で隠蔽した状態を示す浴室壁面ユニットの要部斜視図。
【図４】（ａ）は図３の浴室壁面ユニットおける化粧板の部分側面図、（ｂ）は従来の配管構造における化粧板の部分側面図。
【図５】（ａ）は図３の浴室壁面ユニットおける化粧板上のカウンタの平面図、（ｂ）は従来の配管構造におけるカウンタの平面図。
【図６】第２実施形態の浴室壁面ユニットを示す要部斜視図。
【図７】図６の浴室壁面ユニットにおけるカウンタの倒伏状態を示す要部斜視図。
【発明を実施するための形態】
【００１０】
（第１実施形態）
以下、配管構造及び浴室壁面ユニットの第１実施形態を図１〜図５に従って説明する。
図１及び図２に示すように、この実施形態の浴室は、浴室壁面１１を形成する側壁１１１と、浴室床面１２を形成する床板１２１と、浴槽１３とを備えている。浴槽１３は、浴室壁面１１のコーナに寄せて設置されている。浴室壁面１１に浴室壁面ユニット１０が設置され、以下にその構成を説明する。
【００１１】
浴室壁面１１には、横長形状の混合水栓１４が取付金具１５によって取り付けられている。混合水栓１４には、実施形態の配管構造を構成する冷水用及び温水用の２本の配管１６Ａ，１６Ｂが下側から接続されている。混合水栓１４の下部には、吐水口１４１が突設されるとともに、シャワーホース１４２が延出されている。混合水栓１４の左端部には、吐水の温度を調節する温度調節ハンドル１４３が設けられている。混合水栓１４の右端部には、吐水口１４１またはシャワーホース１４２からの吐水の切り換え及び吐水量の調整を行う切換ハンドル１４４が設けられている。
【００１２】
図２及び図３に示すように、前記配管構造における２本の配管１６Ａ，１６Ｂは、混合水栓１４の下方の位置の壁面１１から立ち上げられるとともに、混合水栓１４の直下において左右両側の外側に迂回されて、混合水栓１４に対して両側方から接続されている。浴室壁面１１には、両配管１６Ａ，１６Ｂを隠蔽した状態で浴室の壁面の一部を構成する化粧板１７が取り付けられている。化粧板１７の中央前面には、混合水栓１４と浴室床面１２との間に位置する平面ほぼ四角形状のカウンタ１７１が一体に突出形成されている。このカウンタ１７１上には、洗面桶１８等が載置される。化粧板１７の上端前面には、混合水栓１４の上方に位置する小カウンタ１７２が一体に突出形成されている。この小カウンタ１７２上には、シャンプーボトル等の小物が載置される。
【００１３】
混合水栓１４とカウンタ１７１との間における化粧板１７の前面には、浴室壁面１１側に向かって凹む凹部１７３が形成されている。そして、図２及び図５（ａ）に示すように、前記両配管１６Ａ，１６Ｂが凹部１７３の左右両側の外側位置を通って迂回されている。
【００１４】
図１及び図２に示すように、前記化粧板１７のカウンタ１７１の下方において両配管１６Ａ，１６Ｂには、止水栓、ストレーナ及び逆止弁よりなる止水栓ユニット１９が接続されている。止水栓ユニット１９も化粧板１７によって隠蔽されている。これらの止水栓ユニット１９は、図示しない取付金具によって浴室壁面１１に固定されている。各止水栓ユニット１９における止水栓及び逆止弁の操作部１９１は、化粧板１７の両側面に形成された透孔１７４を介して外部に露出され、操作部１９１をドライバ等で操作できるようになっている。
【００１５】
次に、前記のように構成された浴室壁面ユニット１０の機能を説明する。
この実施形態の浴室壁面ユニット１０では、図４（ａ）に示すように、止水栓ユニット１９が化粧板１７のカウンタ１７１の下方位置において、両配管１６Ａ，１６Ｂに接続されている。このため、浴室壁面１１から前方への混合水栓１４の張出し寸法が小さくなる。これに対して、図４（ｂ）に示すように、止水栓ユニット１９が混合水栓１４の後部の配管１６Ａ，１６Ｂ中に接続された構成においては、浴室壁面１１から前方への混合水栓１４の張出し寸法が大きくなる。よって、この実施形態によれば、図４（ａ）に示すように、浴室壁面１１から前方への混合水栓１４の張出し寸法を、従来構成に比較して１０〜３０ｍｍ程度の寸法Ｌ１だけ短縮することができる。
【００１６】
また、この実施形態の浴室壁面ユニット１０では、図５（ａ）に示すように、混合水栓１４とカウンタ１７１との間における化粧板１７の前面に凹部１７３が形成され、混合水栓１４に対する配管１６Ａ，１６Ｂが凹部１７３から外れて、凹部１７３の左右両側の外側位置を通って迂回されている。このため、化粧板１７における混合水栓１４の直下の部分が浴室壁面１１から前方に張出すことなく、浴室壁面１１に近付けて奥側に配置される。よって、カウンタ１７１の奥行寸法を広く確保しても、そのカウンタ１７１の張出し寸法を大きくする必要はない。
【００１７】
これに対して、図５（ｂ）の比較例に示すように、混合水栓１４に対する配管１６Ａ，１６Ｂが外側に迂回することなく、配管１６Ａ，１６Ｂが混合水栓１４の直下で混合水栓１４に向かって立ち上げられて、混合水栓１４に後部側から接続される構成が一般的に考えられる。このように構成した場合は、化粧板１７における混合水栓１４の直下の部分が浴室壁面１１から前方に張出される。従って、カウンタ１７１の奥行寸法を洗面桶１８の大きさに合わせて確保しようとすると、カウンタ１７１の張出し寸法が大きくなる。よって、このような場合は、浴室の洗い場の寸法が実質的に狭くなり、洗髪等の動作が行ないにくくなる。
【００１８】
この実施形態によれば、図５（ａ）に示すように、化粧板１７の前面が奥側に凹んで配置されるため、浴室壁面１１から前方へのカウンタ１７１の張出し寸法を、図５（ｂ）の構成に比較して２０〜４０ｍｍ程度の寸法Ｌ２だけ小さくしたとしても、カウンタ１７１の上面の面積を充分に確保することができ、浴室内を広く使用することができる。
【００１９】
従って、この実施形態によれば、以下のような効果を得ることができる。
（１）  この実施形態においては、浴室壁面１１に設けられた混合水栓１４に対して接続される配管１６Ａ，１６Ｂが混合水栓１４の直下を外側に迂回されて、混合水栓１４に対して側方から接続されている。
【００２０】
このため、この配管構造においては、混合水栓１４に対する配管１６Ａ，１６Ｂを化粧板１７で隠蔽して浴室壁面ユニット１０を構成した場合、混合水栓１４の直下部には配管１６Ａ，１６Ｂが存在しないため、化粧板１７を浴室壁面１１から前方に張出すことなく、浴室壁面１１に近付けて凹ませて配置することができる。よって、混合水栓１４の下方において化粧板１７の前面に洗面桶１８等を置くためのカウンタ１７１を突設した場合、カウンタ１７１の奥行寸法を洗面桶１８等の大きさに合わせて充分に広く確保しても、そのカウンタ１７１の出っ張り寸法を抑えることができて、浴室中の洗い場の空間を広く確保することができる。
【００２１】
（２）  この実施形態においては、前記混合水栓１４の前記配管１６Ａ，１６Ｂが冷水用及び温水用の２本であって、混合水栓１４の両側に接続されている。このため、混合水栓１４の直下部に両配管１６Ａ，１６Ｂが存在せず、化粧板１７を浴室壁面１１から前方に張出すことなく配置することができる。
【００２２】
（３）  この実施形態においては、前記混合水栓１４とカウンタ１７１との間における化粧板１７の前面に凹部１７３が形成され、前記配管１６Ａ，１６Ｂが凹部１７３の外側に迂回されている。このため、化粧板１７の前面の凹部１７３によって、カウンタ１７１の奥行寸法を大きく確保することができる。また、化粧板１７の両端部を除く前面部分の突出を抑えることができて、洗い場の空間の確保に寄与できる。
【００２３】
（４）  この実施形態においては、前記カウンタ１７１の下方において、前記配管１６Ａ，１６Ｂに止水栓ユニット１９が接続されている。このため、混合水栓の後部の配管中に止水栓ユニットを接続した従来構成とは異なり、混合水栓１４が浴室壁面１１から前方に張出して配置されることを抑制できる。
【００２４】
（第２実施形態）
次に、配管構造及び浴室壁面ユニット１０の第２実施形態を前記第１実施形態と異なる部分を中心に説明する。
【００２５】
この第２実施形態においては、図６及び図７に示すように、カウンタ１７１が化粧板１７の本体部分と別体で形成されて、その本体部分に対して下方に倒伏可能に取り付けられている。そして、このカウンタ１７１が図６に示す前方への突出位置と、図７に示す下方への倒伏位置とに切り換え配置されるようになっている。なお、図示はしないが、カウンタ１７１と化粧板１７との間には、保持機構が設けられ、この保持機構を一方向に操作することによりカウンタ１７１が突出位置に保持されるとともに、他方向に操作することによりカウンタ１７１の突出位置から倒伏位置への回動が許容される。
【００２６】
従って、この第２実施形態によれば、前記第１実施形態における（１）〜（４）に記載の効果に加えて、以下のような効果を得ることができる。
（５）  この実施形態においては、前記カウンタ１７１が下方に倒伏可能に構成されている。このため、カウンタ１７１の不使用時には、そのカウンタ１７１を下方の倒伏位置に配置することにより、浴室中の空間をさらに広くすることができる。
【００２７】
（変更例）
なお、この実施形態は、次のように変更して具体化することも可能である。
・  混合水栓１４に代えて通常の水栓で構成すること。
【００２８】
・  化粧板１７のカウンタ１７１の形状を平面ほぼ台形状，半円形状等の異なった形状に変更すること。
【符号の説明】
【００２９】
１０…浴室壁面ユニット、１１…浴室壁面、１２…浴室床面、１４…混合水栓、１６Ａ…冷水用の配管、１６Ｂ…温水用の配管、１７…化粧板、１７１…カウンタ、１７３…凹部、１９…止水栓ユニット。
【図１】
2015054201.tif 000003
【図２】
2015054201.tif 000004
【図３】
2015054201.tif 000005
【図４】
2015054201.tif 000006
【図５】
2015054201.tif 000007
【図６】
2015054201.tif 000008
【図７】
2015054201.tif 000009